(57)【要約】【課題】  桁上縁部に作用する引張力に好適に対処し、全体重量が軽減され、高い耐曲げモーメント性を有する橋梁を構築するための波形鋼板ウエブＰＣ合成桁及びその波形鋼板ウエブＰＣ合成桁を使用した橋梁構築方法の提供【解決手段】  互いに平行に並べて架設され、波形鋼板ウエブ４の下端にコンクリート製の下部フランジ５を、上端に鋼製の上部フランジ６をそれぞれ一体に有し、下部フランジ５にＰＣ緊張材１７，１８によるプレストレスを付与された複数の波形鋼板ウエブＰＣ合成桁２の上部フランジ６，６間に、プレキャストコンクリート製の捨て型枠パネル２０，２０を架け渡して敷設し、捨て型枠パネル２０及びウエブ桁の上部フランジ６上にコンクリート床板３を場所打ちによって形成し、コンクリート床板３と波形鋼板ウエブＰＣ合成桁２の上部フランジ６を一体化させて合成桁を構成させる。【選択図】    図２
2006316580.tif 000002
【特許請求の範囲】
【請求項１】
波形鋼板ウエブの下端にコンクリート製の下部フランジを、上端に鋼製の上部フランジをそれぞれ一体に有し、前記下部フランジにＰＣ緊張材によるプレストレスが付与されたことを特徴としてなる波形鋼板ウエブＰＣ合成桁。
【請求項２】
１つの下部フランジに対応する１つの上部フランジを有する断面Ｉ型状に形成され、前記下部フランジのコンクリート厚内に挿通されたＰＣ緊張材によりプレストレスが付与された請求項１に記載の波形鋼板ウエブＰＣ合成桁。
【請求項３】
１つの下部フランジに対して２つの波形鋼板ウエブを有し、各波形鋼板ウエブの上端にそれぞれ鋼製の上部フランジを一体に有する断面Ｕ型状に形成され、前記下部フランジのコンクリート厚内又は波形鋼板ウエブ間の空間に配置されたＰＣ緊張材によりプレストレスが付与された請求項１に記載の波形鋼板ウエブＰＣ合成桁。
【請求項４】
下部フランジのコンクリート厚内に挿通され、プレテンションによるプレストレスを付与するプレテンション用ＰＣ緊張材と、前記コンクリート厚内又は波形鋼板ウエブ間の空間に配置され、ポストテンションによりプレストレスを導入するポストテンション用ＰＣ緊張材とを備えた請求項１、２又は３に記載の波形鋼板ウエブＰＣ合成桁。
【請求項５】
互いに平行に並べて架設され、波形鋼板ウエブの下端にコンクリート製の下部フランジを、上端に鋼製の上部フランジをそれぞれ一体に有し、前記下部フランジにＰＣ緊張材によるプレストレスを付与された複数の波形鋼板ウエブ桁の上部フランジ間に、プレキャストコンクリート製の捨て型枠パネルを架け渡して敷設し、該捨て型枠パネル及び前記ウエブ桁の上部フランジ上にコンクリート床板を場所打ちによって形成し、該コンクリート床板と前記波形鋼板ウエブ桁の上部フランジを一体化させて合成桁を構成させることを特徴としてなる波形鋼板ウエブＰＣ合成桁を使用した橋梁構築方法。
【請求項６】
前記波形鋼板ウエブ桁は、１つの下部フランジに対応する１つの上部フランジを有するＩ型であり、前記下部フランジのコンクリート厚内にＰＣ緊張材を挿通してプレストレスを付与したものを使用する請求項５に記載の波形鋼板ウエブＰＣ合成桁を使用した橋梁構築方法。
【請求項７】
前記波形鋼板ウエブ桁は、１つの下部フランジに対して２つの波形鋼板ウエブを有し、各波形鋼板ウエブの上端にそれぞれ鋼製の上部フランジを一体に有するＵ型波形鋼板ウエブ桁を使用し、前記下部フランジのコンクリート厚内又は波形鋼板ウエブ間の空間にＰＣ緊張材を配置してプレストレスを付与する請求項５に記載の波形鋼板ウエブＰＣ合成桁を使用した橋梁構築方法。
【請求項８】
下部フランジ内にはプレテンションによるプレストレスを付与するとともにポストテンションによるプレストレスの導入を可能にしておき、波形鋼板ウエブ桁の架設後、コンクリート床板の場所打ちコンクリート打設前に、前記ポストテンションによるプレストレスを導入する請求項５、６又は７に記載の波形鋼板ウエブＰＣ合成桁を使用した橋梁構築方法。
【請求項９】
捨て型枠パネルには、プレストレスを付与したプレキャストコンクリート板を使用する請求項５〜７又は８に記載の波形鋼板ウエブＰＣ合成桁を使用した橋梁構築方法。
【発明の詳細な説明】
【技術分野】
【０００１】
本発明は、主に波形鋼板ＰＣ橋等に使用される波形鋼板ウエブＰＣ合成桁及びその波形鋼板ウエブＰＣ合成桁を使用した橋梁構築方法に関する。
【背景技術】
【０００２】
従来、ＰＣ橋を構成する橋桁としては、ウエブの上下端にコンクリート製のフランジを一体に有し、コンクリート部又はウエブの両側部にＰＣ緊張材を配してプレストレスを導入した断面Ｉ型又はＴ型の桁が広く一般に知られている。
【０００３】
また、この桁のウエブを波形鋼板により構成し、全体重両の軽量化を図るとともに上下方向の剛性を確保した鋼・コンクリート合成桁も知られている（例えば、特許文献１を参照）。
【０００４】
一方、近年では、下部フランジと、下部フランジの両側縁より一体に立ち上げた一対のウエブをもって構成し、コンクリート部内又はウエブ間の空間にＰＣ緊張材を配してプレストレスを導入することができるＵ型桁が開発され、長支間化、省力化及びコスト縮減が図られている。
【特許文献１】特開平８−２７７５０７号公報
【発明の開示】
【発明が解決しようとする課題】
【０００５】
しかし、上述の如き従来のＩ型桁（Ｔ型桁）の場合、ウエブを波形鋼板により構成した波形鋼板ウエブ桁とするには、外気や直射日光等に対して耐久性の高い外ケーブルを必要とし、費用が嵩むという問題があり、また、波形鋼板ウエブを導入し、外ケーブルを用いず下部フランジの内ケーブルのみでプレストレスを導入するには、プレストレスを導入した際に、桁上縁部に引張力が生じ、コンクリート製の上部フランジにクラックが生じる等の問題がある為、桁上縁部に引張力を発生させないようにＰＣ引張材の端部を曲げ上げする必要があり、その為、桁の両端部にコンクリートウエブを成形しなければならないという問題があった。
【０００６】
また、上述の従来のＵ型桁においては、ウエブ及び下部フランジがコンクリートにより形成されているので桁長が長くなると全体重量が嵩み、運搬作業や架設作業が困難になるという問題があり、更に、一の桁で支持する床板の面積が広い為、ウエブに伝達される曲げモーメントが比較的大きいという問題があった。
【０００７】
そこで本発明は、上述の従来技術の問題を鑑み、桁上縁部に作用する引張力に好適に対処し、全体重量が軽減され、高い耐曲げモーメント性を有する橋梁を構築するための波形鋼板ウエブＰＣ合成桁及びその波形鋼板ウエブＰＣ合成桁を使用した橋梁構築方法の提供を目的とする。
【課題を解決するための手段】
【０００８】
上述の如き従来の問題を解決し、所期の目的を達成するための請求項１に記載の発明は、波形鋼板ウエブの下端にコンクリート製の下部フランジを、上端に鋼製の上部フランジをそれぞれ一体に有し、前記下部フランジにＰＣ緊張材によるプレストレスが付与された波形鋼板ウエブＰＣ合成桁であることを特徴とする。
【０００９】
請求項２に記載の発明は、請求項１の構成に加え、１つの下部フランジに対応する１つの上部フランジを有する断面Ｉ型状に形成され、前記下部フランジのコンクリート厚内に挿通されたＰＣ緊張材によりプレストレスが付与されたことを特徴とする。
【００１０】
請求項３に記載の発明は、請求項１の構成に加え、１つの下部フランジに対して２つの波形鋼板ウエブを有し、各波形鋼板ウエブの上端にそれぞれ鋼製の上部フランジを一体に有する断面Ｕ型状に形成され、前記下部フランジのコンクリート厚内又は波形鋼板ウエブ間の空間に配置されたＰＣ緊張材によりプレストレスが付与されたことを特徴とする。
【００１１】
請求項４に記載の発明は、請求項１、２又は３の構成に加え、下部フランジのコンクリート厚内に挿通され、プレテンションによるプレストレスを付与するプレテンション用ＰＣ緊張材と、前記コンクリート厚内又は波形鋼板ウエブ間の空間に配置され、ポストテンションによりプレストレスを導入するポストテンション用ＰＣ緊張材とを備えたことを特徴とする。
【００１２】
請求項５に記載の発明は、互いに平行に並べて架設され、波形鋼板ウエブの下端にコンクリート製の下部フランジを、上端に鋼製の上部フランジをそれぞれ一体に有し、前記下部フランジにＰＣ緊張材によるプレストレスを付与された複数の波形鋼板ウエブ桁の上部フランジ間に、プレキャストコンクリート製の捨て型枠パネルを架け渡して敷設し、該捨て型枠パネル及び前記ウエブ桁の上部フランジ上にコンクリート床板を場所打ちによって形成し、該コンクリート床板と前記波形鋼板ウエブ桁の上部フランジを一体化させて合成桁を構成させる波形鋼板ウエブＰＣ合成桁を使用した橋梁構築方法であることを特徴とする。
【００１３】
請求項６に記載の発明は、請求項５の構成に加え、前記波形鋼板ウエブ桁は、１つの下部フランジに対応する１つの上部フランジを有するＩ型であり、前記下部フランジのコンクリート厚内にＰＣ緊張材を挿通してプレストレスを付与したものを使用することを特徴とする。
【００１４】
請求項７に記載の発明は、請求項５の構成に加え、前記波形鋼板ウエブ桁は、１つの下部フランジに対して２つの波形鋼板ウエブを有し、各波形鋼板ウエブの上端にそれぞれ鋼製の上部フランジを一体に有するＵ型波形鋼板ウエブ桁を使用し、前記下部フランジのコンクリート厚内又は波形鋼板ウエブ間の空間にＰＣ緊張材を配置してプレストレスを付与することを特徴とする。
【００１５】
請求項８に記載の発明は、請求項５、６又は７の構成に加え、下部フランジ内にはプレテンションによるプレストレスを付与するとともにポストテンションによるプレストレスの導入を可能にしておき、波形鋼板ウエブ桁の架設後、コンクリート床板の場所打ちコンクリート打設前に、前記ポストテンションによるプレストレスを導入することを特徴とする。
【００１６】
請求項９に記載の発明は、請求項５〜７又は８の構成に加え、捨て型枠パネルには、プレストレスを付与したプレキャストコンクリート板を使用することを特徴とする。
【発明の効果】
【００１７】
本発明に係る波形鋼板ウエブＰＣ合成桁は、波形鋼板ウエブの下端にコンクリート製の下部フランジを、上端に鋼製の上部フランジをそれぞれ一体に有し、前記下部フランジにＰＣ緊張材によるプレストレスが付与されたことによって、上部フランジが鋼製材料のみであるため、自重が小さくなり桁長を長くすることが可能となるとともに、軽量であるため運搬や張出架設等の架設作業が容易となる。
【００１８】
１つの下部フランジに対応する１つの上部フランジを有する断面Ｉ型状に形成され、前記下部フランジのコンクリート厚内に挿通されたＰＣ緊張材によりプレストレスが付与されたことによって、外ケーブルを用いずとも好適にプレストレスを導入することができる。
【００１９】
１つの下部フランジに対して２つの波形鋼板ウエブを有し、各波形鋼板ウエブの上端にそれぞれ鋼製の上部フランジを一体に有する断面Ｕ型状に形成され、前記下部フランジのコンクリート厚内又は波形鋼板ウエブ間の空間に配置されたＰＣ緊張材によりプレストレスが付与されたことによって、自重が小さく、上部フランジが鋼製部材のみからなるので上部フランジにクラックが生じることもないので、張出架設等の架設作業を容易に行うことができ、また、桁長の長いＵ型波形鋼板ウエブ桁による橋梁架設が可能となり、曲げ耐力の大きい橋梁の構築が容易にできる。
【００２０】
下部フランジのコンクリート厚内に挿通され、プレテンションによるプレストレスを付与するプレテンション用ＰＣ緊張材と、前記コンクリート厚内又は波形鋼板ウエブ間の空間に配置され、ポストテンションによりプレストレスを導入するポストテンション用ＰＣ緊張材とを備えたことによって、定着箇所が制限されて多くのＰＣ緊張材を配置できず、ポストテンション方式のみではプレストレスが不足する場合等に、プレストレス量をプレテンション方式により補うことができる。
【００２１】
本発明方法においては、互いに平行に並べて架設され、波形鋼板ウエブの下端にコンクリート製の下部フランジを、上端に鋼製の上部フランジをそれぞれ一体に有し、前記下部フランジにＰＣ緊張材によるプレストレスを付与された複数の波形鋼板ウエブ桁の上部フランジ間に、プレキャストコンクリート製の捨て型枠パネルを架け渡して敷設し、該捨て型枠パネル及び前記ウエブ桁の上部フランジ上にコンクリート床板を場所打ちによって形成し、該コンクリート床板と前記波形鋼板ウエブ桁の上部フランジを一体化させて合成桁を構成させることにより、波形鋼板ウエブ桁は、その架設時までは上部フランジが鋼製材料のみであるため、自重が小さくなり桁長を長くすることが可能となるとともに、軽量であるため運搬、架設作業が容易となる。
【００２２】
また、場所打ちの床板コンクリート打設後には、このコンクリート床板と一体化することによって上部フランジにおいても合成桁構造となり、従来の波形鋼板ウエブ桁を使用した橋梁と同様の強度を持たせることができる。
【００２３】
更に、前記波形鋼板ウエブ桁は、１つの下部フランジに対応する１つの上部フランジを有するＩ型であり、前記下部フランジのコンクリート厚内にＰＣ緊張材を挿通してプレストレスを付与したものを使用することにより、ＰＣ緊張材は外気及び日光にさらされることが無く、耐久性が高いものとなる。
【００２４】
更に、前記波形鋼板ウエブ桁は、１つの下部フランジに対して２つの波形鋼板ウエブを有し、各波形鋼板ウエブの上端にそれぞれ鋼製の上部フランジを一体に有するＵ型波形鋼板ウエブ桁を使用し、前記下部フランジのコンクリート厚内又は波形鋼板ウエブ間の空間にＰＣ緊張材を配置してプレストレスを付与することにより、ＰＣ緊張材は外気及び日光にさらされることが無く、耐久性が高いものとなるとともに、自重が小さく、桁長の長いＵ型波形鋼板ウエブ桁による橋梁架設が可能となり、曲げ耐力の大きい橋梁の構築が容易にできることとなる。
【００２５】
更に、下部フランジ内にはプレテンションによるプレストレスを付与するとともにポストテンションによるプレストレスの導入を可能にしておき、波形鋼板ウエブ桁の架設後、コンクリート床板の場所打ちコンクリート打設前に、前記ポストテンションによるプレストレスを導入することとすることにより、桁架設時及びその後に作業機類による荷重に耐えうる程度のプレストレスをプレテンションにより与えておき、場所打ちのコンクリート床板成形前に、完成後の橋梁に必要なプレストレスをポストテンションによって与えることができ、桁に対する最終的なプレストレス導入時には上部フランジは鋼製のフランジのみからなる構造であるため、引張荷重が作用してもクラック等が生じることがない。
【００２６】
更に、捨て型枠パネルには、プレストレスを付与したプレキャストコンクリート板を使用することにより、床板を耐久性の高いものとすることができ、また、型枠設置のための支保工を簡略化又は省略できる。
【発明を実施するための最良の形態】
【００２７】
次に本発明の実施の形態を図面に示した実施例に基づいて説明する。
【００２８】
図１、図２は、本発明に係る波形鋼板ウエブＰＣ合成桁を用いた橋梁の概略を示し、図中符号１は橋脚（又は橋台）、符号２は波形鋼板ウエブＰＣ合成桁、符号３はコンクリート床板である。
【００２９】
この橋梁は、橋脚１上にその端部を支持させ、互いに平行配置に並べて複数の波形鋼板ウエブＰＣ合成桁２，２…を架設し、その波形鋼板ウエブＰＣ合成桁２，２…上にコンクリート床板３が支持されている。
【００３０】
この波形鋼板ウエブＰＣ合成桁２は、波形鋼板からなる波形鋼板ウエブ４を備え、波形鋼板ウエブ４の下端にコンクリート製の下部フランジ５を、上端に鋼製の上部フランジ６を一体に有する断面Ｉ型状に形成されている。
【００３１】
波形鋼板ウエブ４は、図３に示すように、縦向き、即ちそれぞれ上下方向に連続する凹部７と凸部８とが横方向に交互に並べて配置され、断面波形状に形成されている。即ち、凹部７の奥側面（凹溝の底面）と凸部８の突側面（凸山の頂面）とが共通の側壁板部を介して接続し、凹凸が横方向に交互７，８，７，８…に現れ、断面波形状を形成するようになっている。
【００３２】
この波形鋼板ウエブ４の上端には、平板状の鋼製上部フランジ６が一体に備えられ、この鋼製フランジ６は、図４（ａ）〜図４（ｃ）に示すスタッドジベル接合、アングルジベル接合又はパーフォボンドリブ接合等のように接合部材を使用してウエブ桁２上のコンクリート床板３と一体化され、合成桁構造を構成させるようになっている。
【００３３】
スタッドジベル接合は、図４（ａ）に示すように、上部フランジ６上面に多数のスタッドジベル９，９…を立設させ、このスタッドジベル９，９…がコンクリート床板３を構成するコンクリートに埋め込まれることにより上部フランジ６とコンクリート床板３とを接合させるようになっている。
【００３４】
また、アングルジベル接合は、図４（ｂ）に示すように、上部フランジ６の上面にＬ型のアングル材からなるアングルジベル１０，１０…を間隔をおいて設置し、このアングルジベル１０，１０…にＵ字型鉄筋１１を支持させるとともに、各アングルジベル１０，１０…を貫通させた配置に棒状鉄筋１２，１２を備え、このアングルジベル１０，１０…、Ｕ型鉄筋１１，１１…及び貫通鉄筋１２，１２がコンクリート床板３を構成するコンクリートに埋め込まれることにより上部フランジ６とコンクリート床板３とを接合させるようになっている。
【００３５】
更に、パーフォボンドリブ接合は、図４（ｃ）に示すように、上部フランジ６の上面に鋼製の立壁１３を上部フランジ６と一体に立設させ、その立壁１３を貫通させて多数の鉄筋１４，１４…を配置させ、その立壁１３及び鉄筋１４，１４…がコンクリート床板３を構成するコンクリートに埋め込まれることにより上部フランジ６とコンクリート床板３とを接合させるようになっている。
【００３６】
一方、この波形鋼板ウエブ４の下端には、図５に示すように、波形鋼板の表裏方向に貫通させた多数の鉄筋１５，１５…と、波形鋼板の下縁に接合された接合用鋼棒１６，１６とを備え、この鉄筋１５，１５…及び接合用鋼棒１６，１６がコンクリートに埋め込まれて、波形鋼板ウエブ４と下部フランジ５とを接合させるようになっている。
【００３７】
下部フランジ５には、その長手方向に向けてプレテンション用ＰＣ緊張材１７，１７…が挿通され、プレテンション方式によりプレストレスが導入されている。
【００３８】
また、この下部フランジ５には、桁長手方向にＰＣ緊張材１８が挿通される複数のＰＣ緊張材挿通孔１９，１９…が間隔をおいて平行配置に形成され、ポストテンション方式によるプレストレス導入が可能となっている。
【００３９】
コンクリート床板３は、裏面部に捨て型枠プレート２０，２０…を一体に備え、現場打ちにより成形されている。
【００４０】
尚、この捨て型枠パネル２０は、裏面両側部が盛り上がり、中央部が薄く形成された変断面構造を有する平板状のプレキャストコンクリート板をもって構成され、そのコンクリート肉厚部にＰＣ緊張材２１，２１…が挿通され、このＰＣ緊張材２１，２１…により架け渡し方向にプレストレスが付与されている。
【００４１】
このＩ型桁２，２…を使用した橋梁を構築するには、まず、橋脚（橋台）１上に端部を支持させ複数の波形鋼板ウエブＰＣ合成桁２，２…を互いに平行配置に並べて架設する。
【００４２】
次に、各下部フランジ５のＰＣ緊張材挿通孔１９，１９…にＰＣ緊張材１８を挿通させ、ＰＣ緊張材１８，１８…を緊張させた状態でその両端を下部フランジ５の両端部にそれぞれ定着させポストテンション方式によりプレストレスを付与する。
【００４３】
これにより、プレテンション方式によるプレストレスとポストテンション方式によるプレストレスとが合成され、完成後の橋梁に必要なプレストレスが付与される。
【００４４】
また、ポストテンション方式でプレストレスを導入する際、上部フランジ６が鋼製のフランジのみからなる構造であるため、桁の上縁部に引張荷重が作用してもコンクリート製上部フランジのようにクラック等を生じることがない。
【００４５】
次に、各波形鋼板ウエブＰＣ合成桁２，２…の上部フランジ６、６間に捨て型枠プレート２０，２０…を架け渡し、桁長手方向に並べて敷設する。
【００４６】
このとき、架け渡し方向で隣り合う捨て型枠プレート２０，２０間にコンクリート床板３と波形鋼板ウエブＰＣ合成桁２（上部フランジ６）とを接合するためのスタッドジベル等が配置されるようになっている。
【００４７】
次に、捨て型枠プレート２０以外で必要なコンクリート床板成形用の型枠プレートを設置して型枠を形成し、型枠内部に必要な鉄筋等を配置する。
【００４８】
そして、型枠内に現場打ちによりコンクリートを打設し、このコンクリートを十分に養生固化させ、コンクリート床板３を成形する。
【００４９】
このようにすることにより、捨て型枠プレート２０，２０がコンクリート床板３の裏面部に埋め込まれて一体化されるとともに、上部フランジ６のスタッドジベル等の接合部材がコンクリート床板３に埋め込まれて上部フランジ６と捨て型枠プレート２０，２０を含む床板全体とが一体化され、合成桁構造を構成する。
【００５０】
そして、捨て型枠プレート２０以外の型枠プレート等を撤去し、コンクリート床板３の上面部に舗装等を施し、橋梁が構築される。
【００５１】
次に、本発明に係る波形鋼板ウエブＰＣ合成桁の他の実施例について説明する。尚、上述の実施例と同一の部分には同一符号を付して説明する。
【００５２】
この橋梁は、波形鋼板ウエブ桁として、上述のＩ型桁に替えて図５に示すように、Ｕ型桁を用いる。
【００５３】
この波形鋼板ウエブ桁３０は、コンクリート製の下部フランジ３１の両側縁部に立設された一対の波形鋼板ウエブ３２，３２を有し、両波形鋼板ウエブ３２，３２の上端にそれぞれ上部フランジ３３，３３を一体に備えている。
【００５４】
波形鋼板ウエブ３２は、上述の実施例と同様に波形鋼板により構成されている。
【００５５】
また、上部フランジ３３とコンクリート床板３との接合は、上述の図４（ａ）〜図４（ｃ）に示す実施例と同様に、スタッドジベル接合、アングルジベル接合又はパーフォボンドリブ接合等のように接合部材を使用して接合するようになっている。
【００５６】
更に、波形鋼板ウエブ３２の下端には、上述の図５に示す実施例と同様に、波形鋼板の表裏方向に貫通させた多数の鉄筋１５，１５…と、波形鋼板の下縁に接合された接合用鋼棒１６，１６とを備え、この鉄筋１５，１５…及び接合用鋼棒１６，１６がコンクリートに埋め込まれて、波形鋼板ウエブ３２と下部フランジ３１とが接合されるようになっている。
【００５７】
尚、下部フランジ３１には、桁長手方向にＰＣ緊張材３４が挿通される複数のＰＣ緊張材挿通孔が間隔をおいて形成され、ポストテンション方式によるプレストレス導入が可能となっている。
【００５８】
また、この波形鋼板ウエブ桁３０内部、即ち両ウエブ３２，３２間の空間には、ＰＣ緊張材からなる外ケーブル３５，３５…が配置され、ポストテンション方式によりプレストレスが付与されている。
【００５９】
このＵ型桁３０を使用した橋梁を構築するには、まず、橋台又は橋脚１の両側部に一対の波形鋼板ウエブ桁３０，３０を互いに平行配置に並べて架設する。
【００６０】
次に、各下部フランジ３１のＰＣ緊張材挿通孔にＰＣ緊張材３４，３４…を挿通させ、ＰＣ緊張材３４，３４…を緊張させた状態でその両端を下部フランジ３１の両端部にそれぞれ定着させポストテンション方式によりプレストレスを付与するとともに、ＰＣ緊張材からなる外ケーブル３５，３５…を波形鋼板ウエブ桁３０内、即ち両波形鋼板ウエブ３２，３２間の空間に配置し、その外ケーブル３５を緊張させた状態で両端をそれぞれ定着させポストテンション方式によりプレストレスを付与する。
【００６１】
次に、各波形鋼板ウエブ３２の上部フランジ３３、３３間、即ち波形鋼板ウエブ桁３０の両波形鋼板ウエブ３２，３２の上部フランジ間及び両波形鋼板ウエブ桁３０，３０の互いに相手側に配置されたウエブ３２，３２の上部フランジ間に捨て型枠プレート２０，２０…を架け渡して敷設する。
【００６２】
また、捨て型枠プレート２０以外で必要なコンクリート床板成形用の型枠プレートを設置して型枠を形成し、型枠内部に必要な鉄筋等を配置する。
【００６３】
そして、型枠内に現場打ちによりコンクリートを打設し、このコンクリートを十分に養生固化させてコンクリート床板３を形成する。
【００６４】
そして、捨て型枠プレート２０，２０…がコンクリート床板３の裏面部に埋め込まれて一体化されるとともに、上部フランジ３３のスタッドジベル等の接合部材がコンクリート床板３に埋め込まれて上部フランジ３３と捨て型枠プレート２０，２０…を含む床板全体とが一体化され、合成桁構造を構成する。
【００６５】
そして、捨て型枠プレート以外の型枠プレート等を撤去し、床板部の上面部舗装等を施し、橋梁が構築される。
【００６６】
尚、上述の実施例では、コンクリート床板をＲＣ構造とした例について説明したが、コンクリート肉厚部にＰＣ緊張材を挿通させ、ＰＣ緊張材によりプレストレスを導入させたＰＣ構造であってもよい。
【００６７】
また、上述の実施例では、捨て型枠プレートを変断面構造として例について説明したが、断面が長方形状の等断面構造であってもよく、床板の曲げモーメント特性を考慮して選択することができる。
【００６８】
更に、上述の実施例では、下部フランジに対し、ポストテンション方式又はポストテンション方式とプレテンション方式の併用によりプレストレスを導入した例について説明したが、プレテンション方式のみで下部フランジにプレストレスを導入してもよい。
【図面の簡単な説明】
【００６９】
【図１】本発明方法により構築された橋梁の一例を示す断面図である。
【図２】図１中のＡ−Ａ線断面図である。
【図３】図１中の波形鋼板ウエブを示す断面図である。
【図４】（ａ）〜（ｃ）は接合部材を有する上部フランジを示す斜視図である。
【図５】図１中の波形鋼板ウエブの下端部を示す斜視図である。
【図６】本発明方法により構築された橋梁の他の一例を示す断面図である。
【符号の説明】
【００７０】
１  橋脚（橋台）
２  波形鋼板ウエブ桁
３  コンクリート床板
４  波形鋼板ウエブ
５  下部フランジ
６  上部フランジ
７  凹部
８  凸部
９  スタッドジベル
１０  アングルジベル
１１  Ｕ字型鉄筋
１２  貫通鉄筋
１３  立壁
１４  鉄筋
１５  鉄筋
１６  接合用鋼棒
１７  プレテンション用ＰＣ緊張材
１８  ＰＣ緊張材
１９  ＰＣ緊張材挿通孔
２０  捨て型枠プレート
２１  ＰＣ緊張材
３０  波形鋼板ウエブ桁
３１  下部フランジ
３２  波形鋼板ウエブ
３３  上部フランジ
３４  ＰＣ緊張材
３５  外ケーブル
【図１】
2006316580.tif 000003
【図２】
2006316580.tif 000004
【図３】
2006316580.tif 000005
【図４】
2006316580.tif 000006
【図５】
2006316580.tif 000007
【図６】
2006316580.tif 000008